(57)【要約】【課題】  吸口継手内部の塵埃詰まりの有無を容易に確認することが可能な電気掃除機の吸口体を提供する。【解決手段】  被掃除面と対抗する下面に吸込口を開口した吸気室を有する下ケースと、下ケースの上方を覆う上ケースと、下ケースおよび上ケースとは別体で構成される、一端が吸気室と連通し他端が掃除機本体と連通する略筒状の吸口継手を備え、該吸口継手は透明な部材で形成されていることを特徴とする電気掃除機の吸口体。【選択図】図４
2020127592.tif 000002
【特許請求の範囲】
【請求項１】
被掃除面と対抗する下面に吸込口を開口した吸気室を有する下ケースと、下ケースの上方を覆う上ケースと、下ケースおよび上ケースとは別体で構成される、一端が吸気室と連通し他端が掃除機本体と連通する略筒状の吸口継手を備え、該吸口継手は透明な部材で形成されていることを特徴とする電気掃除機の吸口体。
【請求項２】
被掃除面と対抗する下面に吸込口を開口した吸気室を有する下ケースと、下ケースの上方を覆う上ケースと、下ケースおよび上ケースとは別体で構成される、一端が吸気室と連通し他端が掃除機本体と連通する略筒状の吸口継手を備え、該吸口継手の少なくとも一部が透明な部材で形成されていることを特徴とする電気掃除機の吸口体。
【発明の詳細な説明】
【技術分野】
【０００１】
本発明は、電気掃除機の吸口体に関する。
【背景技術】
【０００２】
従来より、電気掃除機に用いられる吸口体として、被掃除面と対抗する下面に吸込口を開口した吸気室に、清掃部材を螺旋状に取り付けた回転清掃体を設けたものがある。
【０００３】
このような吸口体において、塵埃搬送部の様子を外から見ることが出来れば、例えば回転清掃体に糸くず等が引っ掛かったときに、そのことを容易に確認でき便利である。
【０００４】
そこで、吸口体の上部ケースを半透明の部材で形成することにより、内部にある回転清掃体が正常に回転しているかどうかを外から確認できるようにした吸込口体が提案されている（特許文献１参照）。
【先行技術文献】
【特許文献】
【０００５】
【特許文献１】特開２００５−２６１７２１号公報
【発明の概要】
【発明が解決しようとする課題】
【０００６】
しかしながら、特許文献１では回転清掃体への糸くず等の引っ掛かりを容易に確認することが出来るが、塵埃搬送部の略筒部に爪楊枝等が引っ掛かった場合に確認することが出来ない。
【０００７】
本発明は、塵埃搬送部の略筒部内の様子を外から容易に確認できる構造を有する吸口体、およびこの吸口体を有する電気掃除機を提供することにある。
【課題を解決するための手段】
【０００８】
本発明は、被掃除面と対抗する下面に吸込口を開口した吸気室と、塵埃搬送部の略筒部とを備え、略筒部の少なくとも一部分が透明部材で構成されていることを特徴とする。
【発明の効果】
【０００９】
本発明によれば、塵埃搬送部の略筒部内を容易に確認することが可能で、略筒部内に爪楊枝等が引っ掛かった場合等の不具合の発見が容易な電気掃除機の吸口体を提供できる。
【図面の簡単な説明】
【００１０】
【図１】第１実施形態に係る電気掃除機の外観図である。
【図２】第１実施形態に係る床用吸込具の外観図である。
【図３】従来の床用吸込具の垂直断面図である。
【図４】第１実施形態に係る床用吸込具の垂直断面図である。
【図５】第２実施形態に係る床用吸込具の垂直断面図である。
【発明を実施するための形態】
【００１１】
以下、本発明の第１実施形態について図面を参照して説明する。
【００１２】
図１に本発明の第１実施形態に係る電気掃除機の外観図を示す。電気掃除機１は、掃除機本体２と、掃除機本体２から延長されたホース３と、ホース３の端部に接続され、手元操作スイッチＳＷ等が設けられた操作部４と、操作部４の端部から接続された伸縮自在の延長管５と、延長管５の端部に接続され、床面に設置して塵埃を取り入れる吸口体６とで構成される。図１に、前方、後方、側方、上方、下方を示す。以降、上下などはこの記載に基づくものとする。
掃除機本体２は、吸引力を発生させる電動送風機２ａや、吸引力により収集した塵埃を収容する集塵部２ｂを備えている。
【００１３】
ホース３は、操作部４と掃除機本体２とを接続し、吸口体６などから吸引した塵埃の通り道となる。
【００１４】
操作部４は、ハンドル４ａと、手元操作スイッチＳＷを備える。手元操作スイッチＳＷにより電気掃除機１の運転のON/OFFおよび強/中/弱、回転清掃体１２の回転のON/OFF切り替え等ができる。
【００１５】
延長管５は、外管５ａと内管５ｂから構成される。延長管５の収縮時には内管５ｂは外管５ａの内部に収納され、延長時には内管５ｂが外管５ａの外に出てくるといった仕組みで伸縮自在となっている。
【００１６】
吸口体６の斜視図を図２に示す。
【００１７】
吸口体６は、吸口体６における上方を覆う上ケース部１０と、上ケース部１０の下に位置し被掃除面と対向する下面に吸込口１８を開口した下ケース部１１と、吸込口１８に設けられた回転清掃体１２と、吸口体６の前面に位置し、吸口体６の前面および回転清掃体１２の前面を保護するバンパー１３と、回転清掃体１２に駆動力を与える駆動源１４（図示せず）から構成される。
【００１８】
上ケース部１０および下ケース部１１には、吸口体６の内部にある部品や回線、基板、駆動源１４等を覆う役割がある。
【００１９】
回転清掃体１２は、清掃部材の刷毛や弾性体が取り付けられ、吸口体６の前面付近に位置し、吸口体６前進時に前から来た床面のゴミを清掃部材の回転によって逃さず吸込口６の内部へと搬送する役割を担う。その際、駆動源１４から動力を得て高速回転する。
【００２０】
バンパー１３は吸口体６における最前面に位置し、吸口体６の前面を保護する役割を担う。これにより吸口体６が壁や障害物と衝突した際にも、壁や障害物を傷付けることなく、また回転清掃体１２がこれら壁や障害物と接することなく回転し続けることができる。そのため、バンパー１３はある程度の緩衝性を持つ部材で形成されることが好ましい。また上下方向に関しては、回転清掃体１２全体を覆うなど保護している必要性はかならずしもなく、吸口体６が壁に衝突した際に最初に衝突するのがバンパー１３となるような位置関係にさえなっていれば、上下方向の寸法は問わない。すなわち、床面まで下端部を伸ばし回転清掃体１２の下部まで全て覆った形状でも、床面からある程度の高さまで下端部を上げ、大きな塵埃を取り込めるようにした形状でも、バンパー１３が本来持つ吸口体６の前面の保護という役割を果たしていれば問題ないとする。
【００２１】
吸口継手１９は略筒状で構成され、吸口体６における後端側に位置し、上ケース部１０および下ケース部１１とは別体で構成される。吸口継手１９の端部は延長管５もしくは操作部４と接続され、吸込口１８からのゴミを含む空気を掃除機本体２側に搬送する流路となる。また吸口継手１９は透明な部材（透明ＡＢＳ、透明ＰＰ等）で形成する。図３に示す吸口継手１９が不透明な部材である場合、Ｓ部に爪楊枝等が引っ掛かった場合、Ｐ視およびＱ視においてもＳ部の様子を確認することが困難であるが、図４に示すように吸口継手１９が透明部材の場合は、Ｒ視によって容易にＳ部の様子を確認することが出来る。Ｓ部の様子を容易に確認できることによって、吸口体６のゴミの吸込力が低下した場合や、吸口体６から通常とは異なる音が発生した場合に、Ｓ部に爪楊枝等が引っ掛かった事が原因であるかの確認が容易になり、またＳ部に引っ掛かった爪楊枝等を除去する場合にも、目視しながら容易に除去することが可能である。
【００２２】
以降は、本発明における透明吸口継手の別実施例を挙げる。
【００２３】
本発明の第２実施形態について、図５を用いて説明する。以下、説明する点以外は第１実施形態と同じ構成とする。第２実施形態の吸口体６では、吸口継手１９の下側の一部を別体の吸口継手カバー２０で構成し、吸口継手１９を不透明部材、吸口継手カバー２０を透明部材で形成することで、Ｎ視等では本発明による意匠面への影響を受けずに、Ｓ部の様子はＲ視によって容易に確認できる。
【符号の説明】
【００２４】
１    電気掃除機
２    掃除機本体
３    ホース
４    操作部
ＳＷ  手元スイッチ
４ａ  ハンドル
５    延長管
５ａ  外管
５ｂ  内管
６  吸口体
１０  上ケース部
１１  下ケース部
１２  回転清掃体
１３  バンパー
１４  駆動源
１８  吸込口
１９  吸口継手
２０  吸口継手カバー
【図１】
2020127592.tif 000003
【図２】
2020127592.tif 000004
【図３】
2020127592.tif 000005
【図４】
2020127592.tif 000006
【図５】
2020127592.tif 000007